(57)【要約】【課題】  基準紙以外の大きさの紙をレジ調整の時にセットされてもエラーにしないでレジ調整を続行することができるプリンタの提供。【解決手段】  インクジェットプリンタの光学センサを用いた自動レジ調整において、紙サイズを判別し、紙サイズに応じて調整解像度と調整段階を設定することで紙サイズによる自動レジ調整失敗エラーを出すことなく自動レジ調整を実行できることを特徴とするプリンタ。【選択図】        図１
2007069429.tif 000002
【特許請求の範囲】
【請求項１】
紙幅を検知するセンサと、
キャリッジに印字ヘッドと、
キャリッジにメディアに吐出したインクを読み取るセンサと、
を有するプリンタにおいて、
印字ヘッドノズルのレジ値を可変して印字した調整パターンを印字し、
印字された調整パターンをキャリッジに有するセンサで読み取り、
最適な読み取り値のパターンを印字ヘッドのレジ最適値とすることを特徴とするプリンタ。
【請求項２】
請求項１に記載のプリンタにおいて、
検知された紙幅が基準としている紙幅より広かった場合、
印字ヘッドノズルのレジ値を設定可変する幅を基準より詳細に設定変更して調整パターンを印字し、
印字された調整パターンをキャリッジに有するセンサで読み取り、
印字ヘッドのレジ最適値を基準レジ設定解像度より詳細に設定することを特徴とするプリンタ。
【請求項３】
請求項１に記載のプリンタにおいて、
検知された紙幅が基準としている紙幅より狭かった場合、
印字ヘッドノズルのレジ値を可変する幅を基準より大きく可変して調整パターンを印字し、
印字された調整パターンをキャリッジに有するセンサで読み取り、
印字ヘッドのレジ最適値を基準レジ設定解像度より粗く設定することを特徴とするプリンタ。
【請求項４】
請求項３に記載のプリンタにおいて、
濃インクと淡インクで構成されているインクジェットプリンタにおいて、
検知された紙幅が基準としている紙幅より狭かった場合、
調整するインクヘッドノズル列を濃インクだけとすることを特徴とするプリンタ。
【請求項５】
請求項３に記載のプリンタにおいて、
検知された紙幅が基準としている紙幅より狭かった場合、
調整のための調整パターン幅を狭めて基準幅と同じ調整幅の調整パターンを印字することを特徴とするプリンタ。
【発明の詳細な説明】
【技術分野】
【０００１】
本発明は、記録ヘッドに配列する複数の記録素子から記録媒体に対しインクを吐出させて画像を形成するインクジェット記録システムに係るプリンタに関する。
【背景技術】
【０００２】
従来のプリンタの自動レジ調整は紙幅がレジ調整基準サイズより狭かった場合は、プリンタをレジ失敗エラーにしてレジ調整を中止してレジ調整を行わなかった。
【０００３】
そのため、基準の大きさ以下の紙をユーザーがセットすると、インク吐出確認パターンを印字後、廃紙して自動レジ調整失敗エラーを出していた。
【特許文献１】特開平５−１２４２２１号公報
【特許文献２】特開平６−３１９０９号公報
【特許文献３】特開平１１−９９６４３号公報
【発明の開示】
【発明が解決しようとする課題】
【０００４】
上記の課題を解決するため、紙幅検知をキャリッジのセンサで行い、紙幅に応じたレジ調整範囲、レジ調整インクノズル列を判断することで、基準紙以外の大きさの紙をレジ調整の時にセットされてもエラーにしないでレジ調整を続行することができるプリンタを提供することを目的とする。
【課題を解決するための手段】
【０００５】
本発明は、プリンタのレジ調整をキャリッジに備えたセンサで自動的に行う場合において、レジ調整方法に関わるものである。
【０００６】
キャリッジに備えられたセンサで給紙した紙幅を検知する。
【０００７】
検知した紙幅が基準幅よりも狭かった場合は、紙幅と、調整パターンの幅から調整パターンが何個印字できるか計算し調整パターンの調整解像度を決定する。
【０００８】
また、紙幅が調整対象の基準紙の幅よりも狭かった場合、長さも短いことが予想されるため、調整対象のノズルを制限することで給紙された紙を無駄にすることなく最大限に利用して調整を行うことが可能となる。
【０００９】
すなわち、本発明の技術内容は以下の構成を備えることにより前記課題を解決できた。
【００１０】
（１）紙幅を検知するセンサと、キャリッジに印字ヘッドと、キャリッジにメディアに吐出したインクを読み取るセンサとを有するプリンタにおいて、印字ヘッドノズルのレジ値を可変して印字した調整パターンを印字し、印字された調整パターンをキャリッジに有するセンサで読み取り、最適な読み取り値のパターンを印字ヘッドのレジ最適値とすることを特徴とするプリンタ。
【発明の効果】
【００１１】
本発明によれば、基準紙以外の大きさの紙でレジ調整を実行することができ、ユーザーに基準紙でのレジ調整作業を強いることのないプリンタの提供が可能となる。
【発明を実施するための最良の形態】
【００１２】
以下に、本発明に適用可能なインクジェット記録システムの構成例を具体的に説明する。
【００１３】
本実施例のインクジェットプリンタのキー構成は、電源キー、ファンクションキー、で構成されている。
【００１４】
図１で示すように、プリンタ１−１はキャリッジ１−２、印字ヘッド１−３、光学センサ１−４、プラテン１−５から構成されている。
【００１５】
プラテン１−５はセンサした結果、紙と異なる値を出力するものとする。
【００１６】
以上説明した本実施形態の記録装置を用い、本発明の最も特徴的な構成について、以下に具体的な実施例を説明する。
【実施例１】
【００１７】
Ａ４プリンタで調整基準紙をＡ４とし、Ｂ５でレジ調整を行った場合について、以下、例を示す（図２参照）。
【００１８】
レジ調整作業を開始する。これはホストからのレジ調整開始コマンドを送信してもよいし、パネルキーからレジ調整開始を選択してもよい（ステップ２−１）。
【００１９】
レジ調整開始されると給紙を行う（ステップ２−２）。
【００２０】
給紙が完了したらキャリッジを走査方向に移動させて紙面幅をスキャンする（ステップ２−３）。
【００２１】
本実施例では、Ａ４紙幅を２０３ｍｍ、紙長さを２７９．４ｍｍとし、調整パターン印字は幅を２０ｍｍ、縦長さを１５ｍｍとする。
【００２２】
Ａ４プリンタであるならば、Ａ５、Ｂ５、Ｌ版などＡ４より小さい紙が給紙される可能性があるので、センサした紙幅のメディアで給紙された紙の大きさを決定とする。
【００２３】
Ｂ５の紙が給紙された場合、パターンはＡ４なら７個印字できたところが（図３−１参照）、５個しか印字できない（図３−２参照）。
【００２４】
紙幅と調整印字パターン幅から調整解像度を決定する（ステップ２−４）。
【００２５】
そのため、Ａ４では１２００ｐｐｉで−３から＋３まで調整可能範囲であったが、Ｂ５では−２から＋２までの調整範囲とする。紙長さはＢ５の紙長さとなるので、調整対象のインクノズル列をＡ４ではＣ、Ｍ、Ｋ、淡シアンの４色調整していたものをＣＭＫの３色を調整対象インクノズル列とする。Ｃの調整値を淡シアンに割り当てる。
【００２６】
余白部分もしくは印字前に紙面をスキャンして、センサの白基準とする（ステップ２−６）。
【００２７】
ヘッド吐出確認パターンを印字し（ステップ２−５）、センサする（ステップ２−７）。
【００２８】
最適レジ値の判断は、レジ値があうともっとも濃くなるようにする調整パターンにおいて、センサ入力値が高いところを最適とする検知方法でもよいし、レジ値があうともっとも薄くなるようにする調整パターンにおいて、センサ入力値が低いところを最適とする検知方法でもよい。
【００２９】
パターンをセンサした結果、入力値がセンサ白基準値近辺の場合は、ヘッド吐出不良なのでエラーとしてレジ調整エラーとする（ステップ２−１１）。
【００３０】
レジ調整シーケンスを終了する（ステップ２−９）。
【００３１】
レジ調整を基準サイズ以外でおこなったことをプリンタに記憶する（ステップ２−１０）。
【００３２】
フォト紙など高品位のメディアで印字するときに、レジ調整が本来の条件で行われていないことをユーザーに警告するためである。
【００３３】
また、普通紙で印字するときは、基準紙以外のメディアで十分品質を満たしているため、普通紙で文章を印字する用途が主のユーザーにとって非常に有効なレジ調整手段となっている。
【００３４】
上述したように、本実施例のプリンタのレジ調整方法では、基準紙以外の大きさの紙が給紙された場合、紙の大きさでレジ調整の精度を変えることで、ユーザーにレジ調整失敗エラーをみせることなく、レジ調整が正常に完了するプリンタを提供することが可能となった。
【産業上の利用可能性】
【００３５】
本発明は、複数の記録素子よりインクを吐出して画像を形成するシリアル型のインクジェット記録システムに適用することが出来る。
【図面の簡単な説明】
【００３６】
【図１】本実施例のプリンタの構成図
【図２】本実施例の自動レジ調整を説明するフローチャート
【図３−１】Ａ４の調整範囲を示す図
【図３−２】Ｂ５の調整範囲を示す図
【符号の説明】
【００３７】
１−１  プリンタ
１−２  キャリッジ
１−３  印字ヘッド
１−４  センサ
１−５  プラテン
【図１】
2007069429.tif 000003
【図２】
2007069429.tif 000004
【図３−１】
2007069429.tif 000005
【図３−２】
2007069429.tif 000006